(57)【特許請求の範囲】
【請求項１】
記録媒体に印刷を実行する印刷部と、
前記印刷部に印刷を実行させるための描画データをバンド毎に順番に生成する描画データ生成手段と、
記録媒体を前記印刷部に供給する媒体供給手段と、
印刷に対する課金処理を実行する課金手段とを備え、
前記媒体供給手段は、
記録媒体を特定の位置に供給する１次供給と、
記録媒体を前記特定の位置から前記印刷部に供給する２次供給とを実行し、
前記描画データ生成手段は、前記描画データに基づいて前記印刷部によって実行される印刷においてバンド毎に使用されるバンド使用色をモノクロおよびカラーの何れか一方に確定するとともに、前記印刷部によって前記描画データに基づいて実行される印刷における使用色をモノクロおよびカラーの何れか一方に確定し、
前記媒体供給手段は、前記描画データ生成手段によってカラーとして確定された前記バンド使用色が存在する場合に、前記描画データ生成手段による前記描画データの全てのバンドの生成の完了以前に前記１次供給を開始し、
前記課金手段は、前記描画データ生成手段によってカラーとして確定された前記バンド使用色が存在する場合に、前記使用色がカラーである場合の課金処理を前記１次供給の開始の際に実行し、
前記特定の位置は、レジストローラーの位置であることを特徴とする画像形成装置。
【請求項２】
前記媒体供給手段は、前記描画データ生成手段によってカラーとして確定された前記バンド使用色が前記描画データの全てのバンドより少ない特定の数のバンドの前記描画データ生成手段による生成の完了後に存在する場合に、前記描画データ生成手段による前記描画データの全てのバンドの生成の完了以前に前記１次供給を開始し、
前記課金手段は、前記描画データ生成手段によってカラーとして確定された前記バンド使用色が前記描画データ生成手段による前記特定の数のバンドの生成の完了後に存在する場合に、前記使用色がカラーである場合の課金処理を前記１次供給の開始の際に実行することを特徴とする請求項１に記載の画像形成装置。
【請求項３】
記録媒体に印刷を実行する印刷部を備える画像形成装置を、
前記印刷部に印刷を実行させるための描画データをバンド毎に順番に生成する描画データ生成手段、
記録媒体を前記印刷部に供給する媒体供給手段、および、
印刷に対する課金処理を実行する課金手段として機能させ、
前記媒体供給手段は、
記録媒体を特定の位置に供給する１次供給と、
記録媒体を前記特定の位置から前記印刷部に供給する２次供給とを実行し、
前記描画データ生成手段は、前記描画データに基づいて前記印刷部によって実行される印刷においてバンド毎に使用されるバンド使用色をモノクロおよびカラーの何れか一方に確定するとともに、前記印刷部によって前記描画データに基づいて実行される印刷における使用色をモノクロおよびカラーの何れか一方に確定し、
前記媒体供給手段は、前記描画データ生成手段によってカラーとして確定された前記バンド使用色が存在する場合に、前記描画データ生成手段による前記描画データの全てのバンドの生成の完了以前に前記１次供給を開始し、
前記課金手段は、前記描画データ生成手段によってカラーとして確定された前記バンド使用色が存在する場合に、前記使用色がカラーである場合の課金処理を前記１次供給の開始の際に実行し、
前記特定の位置は、レジストローラーの位置であることを特徴とする画像形成プログラム。
【発明の詳細な説明】
【技術分野】
【０００１】
本発明は、記録媒体に印刷を実行する画像形成装置および画像形成プログラムに関する。
【背景技術】
【０００２】
従来、記録媒体に印刷を実行する印刷部と、印刷部に印刷を実行させるための描画データを生成する描画データ生成手段と、記録媒体を印刷部に供給する媒体供給手段とを備えた画像形成装置が知られている（例えば、特許文献１参照。）。この媒体供給手段は、記録媒体を特定の位置に供給する１次供給と、記録媒体を特定の位置から印刷部に供給する２次供給とを実行する。従来の画像形成装置は、描画データの生成の完了前に１次供給を開始するので、描画データの生成の完了後に１次供給を開始する構成と比較して、印刷速度を向上することができる。
【先行技術文献】
【特許文献】
【０００３】
【特許文献１】特開２０１３−０８８７７３号公報
【発明の概要】
【発明が解決しようとする課題】
【０００４】
しかしながら、従来の画像形成装置においては、印刷部によって描画データに基づいて実行される印刷における使用色が描画データの生成の完了後に確定されるので、使用色に応じた課金処理が１次供給の開始の際に実行される場合、描画データの生成の完了後に１次供給を開始しなければならず、印刷速度が低下するという問題がある。
【０００５】
そこで、本発明は、印刷速度を向上することができる画像形成装置および画像形成プログラムを提供することを目的とする。
【課題を解決するための手段】
【０００６】
本発明の画像形成装置は、記録媒体に印刷を実行する印刷部と、前記印刷部に印刷を実行させるための描画データをバンド毎に順番に生成する描画データ生成手段と、記録媒体を前記印刷部に供給する媒体供給手段と、印刷に対する課金処理を実行する課金手段とを備え、前記媒体供給手段は、記録媒体を特定の位置に供給する１次供給と、記録媒体を前記特定の位置から前記印刷部に供給する２次供給とを実行し、前記描画データ生成手段は、前記描画データに基づいて前記印刷部によって実行される印刷においてバンド毎に使用されるバンド使用色をモノクロおよびカラーの何れか一方に確定するとともに、前記印刷部によって前記描画データに基づいて実行される印刷における使用色をモノクロおよびカラーの何れか一方に確定し、前記媒体供給手段は、前記描画データ生成手段によってカラーとして確定された前記バンド使用色が存在する場合に、前記描画データ生成手段による前記描画データの全てのバンドの生成の完了以前に前記１次供給を開始し、前記課金手段は、前記描画データ生成手段によってカラーとして確定された前記バンド使用色が存在する場合に、前記使用色がカラーである場合の課金処理を前記１次供給の開始の際に実行することを特徴とする。
【０００７】
この構成により、本発明の画像形成装置は、バンド使用色にカラーが存在する場合に、描画データの全てのバンドの生成の完了以前に１次供給を開始するとともに、使用色がカラーである場合の課金処理を１次供給の開始の際に実行するので、描画データの全てのバンドの生成の完了後に確定した使用色に応じた課金処理を１次供給の開始の際に実行する構成と比較して、印刷速度を向上することができる。
【０００８】
また、本発明の画像形成装置において、前記媒体供給手段は、前記描画データ生成手段によってカラーとして確定された前記バンド使用色が前記描画データの全てのバンドより少ない特定の数のバンドの前記描画データ生成手段による生成の完了後に存在する場合に、前記描画データ生成手段による前記描画データの全てのバンドの生成の完了以前に前記１次供給を開始し、前記課金手段は、前記描画データ生成手段によってカラーとして確定された前記バンド使用色が前記描画データ生成手段による前記特定の数のバンドの生成の完了後に存在する場合に、前記使用色がカラーである場合の課金処理を前記１次供給の開始の際に実行しても良い。
【０００９】
この構成により、本発明の画像形成装置は、１次供給の開始と、課金処理の実行とに対する判断をバンド使用色が確定する度に実行する必要がないので、処理負荷を軽減することができる。
【００１０】
本発明の画像形成プログラムは、記録媒体に印刷を実行する印刷部を備える画像形成装置を、前記印刷部に印刷を実行させるための描画データをバンド毎に順番に生成する描画データ生成手段、記録媒体を前記印刷部に供給する媒体供給手段、および、印刷に対する課金処理を実行する課金手段として機能させ、前記媒体供給手段は、記録媒体を特定の位置に供給する１次供給と、記録媒体を前記特定の位置から前記印刷部に供給する２次供給とを実行し、前記描画データ生成手段は、前記描画データに基づいて前記印刷部によって実行される印刷においてバンド毎に使用されるバンド使用色をモノクロおよびカラーの何れか一方に確定するとともに、前記印刷部によって前記描画データに基づいて実行される印刷における使用色をモノクロおよびカラーの何れか一方に確定し、前記媒体供給手段は、前記描画データ生成手段によってカラーとして確定された前記バンド使用色が存在する場合に、前記描画データ生成手段による前記描画データの全てのバンドの生成の完了以前に前記１次供給を開始し、前記課金手段は、前記描画データ生成手段によってカラーとして確定された前記バンド使用色が存在する場合に、前記使用色がカラーである場合の課金処理を前記１次供給の開始の際に実行することを特徴とする。
【００１１】
この構成により、本発明の画像形成プログラムは、バンド使用色にカラーが存在する場合に、描画データの全てのバンドの生成の完了以前に１次供給を開始するとともに、使用色がカラーである場合の課金処理を１次供給の開始の際に実行するので、描画データの全てのバンドの生成の完了後に確定した使用色に応じた課金処理を１次供給の開始の際に実行する構成と比較して、印刷速度を向上することができる。
【発明の効果】
【００１２】
本発明の画像形成装置および画像形成プログラムは、印刷速度を向上することができる。
【図面の簡単な説明】
【００１３】
【図１】本発明の一実施の形態に係るＭＦＰのブロック図である。
【図２】図１に示すＭＦＰの内部の構造を示す概略構成図である。
【図３】図１に示す描画データ生成手段による各種の処理の時期の一例を示す図である。
【図４】図１に示す描画データ生成手段によって処理されるバンドを示す図である。
【図５】１次供給の実行を完了した時点の図２に示すＭＦＰの概略構成図である。
【図６】２次供給を実行中の図２に示すＭＦＰの概略構成図である。
【図７】印刷を実行する場合の図１に示すＭＦＰの動作のフローチャートである。
【発明を実施するための形態】
【００１４】
以下、本発明の一実施の形態について、図面を用いて説明する。
【００１５】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００１６】
図１は、本実施の形態に係るＭＦＰ１０のブロック図である。
【００１７】
図１に示すように、ＭＦＰ１０は、種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、原稿から画像を読み取る読取デバイスであるスキャナー１３と、用紙などの記録媒体に印刷を実行する印刷デバイスであるプリンター２０と、図示していない外部のファクシミリ装置と公衆電話回線などの通信回線経由でファックス通信を行うファックスデバイスであるファックス通信部１４と、ＬＡＮ（Ｌｏｃａｌ  Ａｒｅａ  Ｎｅｔｗｏｒｋ）、インターネットなどのネットワーク経由で外部の装置と通信を行うネットワーク通信デバイスであるネットワーク通信部１５と、各種の情報を記憶する半導体メモリー、ＨＤＤ（Ｈａｒｄ  Ｄｉｓｋ  Ｄｒｉｖｅ）などの不揮発性の記憶デバイスである記憶部１６と、ＭＦＰ１０全体を制御する制御部１７とを備えている。
【００１８】
ＭＦＰ１０は、印刷に対する課金処理を実行するための課金デバイス１８が装着されている。課金デバイス１８としては、例えば、印刷に対する課金をコインなどの貨幣によって印刷の度に徴収するコインベンダーや、印刷に対する課金に対応する印刷量を計測するキーカウンターが存在する。
【００１９】
図２は、ＭＦＰ１０の内部の構造を示す概略構成図である。
【００２０】
図２に示すように、プリンター２０は、記録媒体９０を供給するカセット２１と、記録媒体９０が排出される媒体排出部２２とを備えている。
【００２１】
プリンター２０は、カセット２１から媒体排出部２２までの記録媒体９０の搬送路２３が形成されている。プリンター２０は、搬送路２３に沿って記録媒体９０を搬送するための図示していない多数の搬送ローラーを搬送路２３上に備えている。
【００２２】
プリンター２０は、記録媒体９０に印刷を実行する印刷部２４を備えている。印刷部２４は、トナーによる画像を表面に形成するシアン、マゼンタ、イエロー、ブラックのそれぞれの感光ドラム２４ａ〜２４ｄと、感光ドラム２４ａ〜２４ｄの表面に形成されたトナーによる画像が表面に転写された後、表面に転写されたトナーによる画像を記録媒体９０に転写する転写ベルト２４ｅと、転写ベルト２４ｅから記録媒体９０上に転写されたトナーによる画像を記録媒体９０に定着させる定着ユニット２４ｆとを備えている。
【００２３】
プリンター２０は、転写ベルト２４ｅの表面に転写されたトナーによる画像が記録媒体９０に適切に転写されるように記録媒体９０の搬送のタイミングを調整するためのレジストローラー２５と、媒体排出部２２に記録媒体９０が排出されたことを検出するための排出センサー２６とを備えている。
【００２４】
図１に示すように、記憶部１６は、ＭＦＰ１０を制御するための画像形成プログラム１６ａを記憶している。画像形成プログラム１６ａは、ＭＦＰ１０の製造段階でＭＦＰ１０にインストールされていても良いし、ＳＤカード、ＵＳＢ（Ｕｎｉｖｅｒｓａｌ  Ｓｅｒｉａｌ  Ｂｕｓ）メモリーなどの外部記憶媒体からＭＦＰ１０に追加でインストールされても良いし、ネットワーク上からＭＦＰ１０に追加でインストールされても良い。
【００２５】
記憶部１６は、課金の時期の設定を示す課金時期設定１６ｂを記憶することが可能である。課金時期設定１６ｂは、操作部１１またはネットワーク通信部１５を介した指示に応じて設定されることが可能である。課金時期設定１６ｂによって設定可能な時期としては、プリンター２０の搬送ローラーによってカセット２１から記録媒体９０の搬送を開始した時期（以下「供給開始時期」と言う。）と、プリンター２０の搬送ローラーによって媒体排出部２２への記録媒体９０の搬送を終了した時期（以下「排出終了時期」と言う。）との何れかが設定されることが可能である。なお、排出終了時期が設定されている場合には、印刷部２４によって記録媒体９０に印刷が実行された後、印刷済みの記録媒体９０が媒体排出部２２に排出される前に、ＭＦＰ１０のカバーが開けられて記録媒体９０がＭＦＰ１０の外部に取り出されることによって、課金を実行させないという不正が起こり得る。このような不正は、供給開始時期が設定されている場合には、防ぐことが可能である。
【００２６】
制御部１７は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１６に記憶されているプログラムを実行する。
【００２７】
制御部１７は、記憶部１６に記憶されている画像形成プログラム１６ａを実行することによって、印刷部２４に印刷を実行させるための描画データをバンド毎に順番に生成する描画データ生成手段１７ａ、記録媒体９０を印刷部２４に供給する媒体供給手段１７ｂ、および、印刷に対する課金処理を実行する課金手段１７ｃとして機能する。
【００２８】
描画データ生成手段１７ａは、例えば、ネットワーク通信部１５経由で外部の装置から受信した印刷データや、ＳＤカード、ＵＳＢメモリーなどの外部の記憶媒体や記憶部１６から読み出した印刷データに基づいて描画データを生成する。また、描画データ生成手段１７ａは、ネットワーク通信部１５経由で外部の装置から受信した画像や、ＳＤカード、ＵＳＢメモリーなどの外部の記憶媒体や記憶部１６から読み出した画像や、スキャナー１３によって原稿から読み取られた画像に基づいて描画データを生成する。
【００２９】
なお、印刷データには、モノクロおよびカラーの何れか一方の指定色が含まれている。また、描画データ生成手段１７ａが画像に基づいて描画データを生成する場合には、モノクロおよびカラーの何れか一方の指定色が指定されている。指定色は、外部の装置のプリンタードライバーや操作部１１を介して指定されることができる。
【００３０】
描画データ生成手段１７ａは、描画データを生成する場合に、印刷部２４によって描画データに基づいて実行される印刷における使用色を確定する。すなわち、描画データ生成手段１７ａは、カラー変換モジュールを含んでいる。例えば、指定色がカラーである場合であっても、実際に印刷される画像に含まれている色が無彩色のみである場合には、描画データ生成手段１７ａによって生成される描画データにおける使用色がモノクロになる場合がある。すなわち、描画データ生成手段１７ａによって確定される使用色は、指定色と異なる場合がある。したがって、課金手段１７ｃは、指定色ではなく、描画データ生成手段１７ａによって確定された使用色に応じて課金を実行する。例えば、カラー印刷は、モノクロ印刷と比較して１枚当たりの印刷の課金額が高く設定されている。
【００３１】
図３は、描画データ生成手段１７ａによる各種の処理の時期の一例を示す図である。
【００３２】
図３に示すように、外部の装置は、印刷データを生成して（Ｓ５１）、生成した印刷データのＭＦＰ１０への送信を開始する（Ｓ５２）。したがって、ＭＦＰ１０の制御部１７は、外部の装置から送信されてきた印刷データの受信を開始して（Ｓ５３）、受信した印刷データに基づいた印刷のジョブを起動する（Ｓ５４）。そして、制御部１７の描画データ生成手段１７ａは、Ｓ５４において起動されたジョブを実行する際に、印刷データに基づいて中間画像データを生成し（Ｓ５５）、Ｓ５５において生成した中間画像データをラスタライズする（Ｓ５６）。また、描画データ生成手段１７ａは、ラスタライズした画像データに対して色変換処理を実行する（Ｓ５７）ことによって、描画データを生成する。
【００３３】
描画データ生成手段１７ａは、図４に示すように、１ページ分の領域７０を複数の領域に分けた各領域、すなわちバンド７１毎に順番に描画データを生成する。ここで、描画データ生成手段１７ａは、描画データのバンド７１を生成する度に、描画データに基づいて印刷部２４によって実行される印刷においてバンド７１毎に使用されるバンド使用色をモノクロおよびカラーの何れか一方に確定する。
【００３４】
また、描画データ生成手段１７ａは、１ページ分の描画データの生成の完了後に、描画データに基づいて印刷部２４によって実行される印刷における使用色をモノクロおよびカラーの何れか一方に確定する。すなわち、描画データ生成手段１７ａは、１ページ分の描画データの全てのバンド７１のバンド使用色がモノクロである場合に使用色をモノクロとして確定し、１ページ分の描画データのうち少なくとも１つのバンド７１のバンド使用色がカラーである場合に使用色をカラーとして確定する。
【００３５】
なお、図３に示す例では、描画データ生成手段１７ａは、ネットワーク通信部１５を介して外部の装置から受信した印刷データに基づいて描画データの生成を開始するが、ＵＳＢメモリーなどの外部記憶媒体から入力された印刷データなど、他の印刷データや画像に基づいて描画データの生成を開始する場合も同様である。
【００３６】
図１に示す媒体供給手段１７ｂは、図５に示すように、記録媒体９０をカセット２１から特定の位置、すなわち、レジストローラー２５の位置に供給する１次供給と、図６に示すように、記録媒体９０をレジストローラー２５の位置から印刷部２４に供給して媒体排出部２２に排出する２次供給とを実行する。
【００３７】
ＭＦＰ１０は、１次供給によって記録媒体９０を先行してレジストローラー２５の位置まで進めておき、描画データ生成手段１７ａによる描画データの生成など、印刷処理の準備が完了次第、２次供給によって直ぐに印刷部２４による記録媒体９０への印刷が実行可能にしている。したがって、ＭＦＰ１０は、印刷速度を向上することが可能である。
【００３８】
２次供給は、図３に示す例では、例えば、時期ｔ６１に開始される。Ｓ５７における色変換処理によって生成された描画データは、Ｓ５７における色変換処理が終了した時期ｔ６２では圧縮されている。したがって、制御部１７は、例えば、Ｓ５７における色変換処理によって生成された描画データを解凍したり、印刷データにおいて設定されている余白に合わせて描画データの位置を調整したり、印刷データにおいて設定されている回転方向に応じて描画データを回転させたりという準備作業を、印刷部２４による印刷の実行前に行う必要がある。制御部１７は、描画データをバンド毎に処理を実行する。媒体供給手段１７ｂは、上記準備作業が例えば２バンド分完了した段階で２次供給を開始する。したがって、２次供給が開始される時期ｔ６１は、Ｓ５７における色変換処理が終了した時期ｔ６２より後になる。なお、制御部１７は、残りのバンドの準備作業を２次供給と同時並行で実行する。
【００３９】
１次供給は、図３に示す例では、例えば、Ｓ５７における色変換処理が終了した時期ｔ６２と、時期ｔ６２より前の時期ｔ６３との何れかに開始される。１次供給が開始される時期は、時期ｔ６２より前の時期ｔ６３である場合、Ｓ５７の開始時より後であれば、図３に示す時期でなくても良い。
【００４０】
なお、制御部１７は、定着ユニット２４ｆを温め始めたりなどの印刷部２４の準備の開始を、例えば、Ｓ５５の処理の開始時期の近傍の時期ｔ６４で実行する。時期ｔ６４は、Ｓ５５の処理の開始時期より前であっても良いし、Ｓ５５の処理の開始時期であっても良いし、Ｓ５５の処理の開始時期より後であっても良い。
【００４１】
図１に示す課金手段１７ｃは、課金時期設定１６ｂに設定されている時期に、描画データ生成手段１７ａによって確定された使用色に基づいて課金を実行する。
【００４２】
次に、ＭＦＰ１０の動作について説明する。
【００４３】
図７は、印刷を実行する場合のＭＦＰ１０の動作のフローチャートである。
【００４４】
図７に示すように、媒体供給手段１７ｂは、描画データの全てのバンドより少ない特定の数のバンドの生成が描画データ生成手段１７ａによって完了したと判断するまで、描画データの特定の数のバンドの生成が完了したか否かを判断する（Ｓ１０１）。
【００４５】
媒体供給手段１７ｂは、描画データの特定の数のバンドの生成が完了したとＳ１０１において判断すると、課金の時期が供給開始時期であるか否かを課金時期設定１６ｂに基づいて判断する（Ｓ１０２）。
【００４６】
媒体供給手段１７ｂは、課金の時期が供給開始時期ではない、すなわち、排出終了時期であるとＳ１０２において判断すると、１次供給を実行する（Ｓ１０３）。
【００４７】
次いで、媒体供給手段１７ｂは、描画データの全てのバンドの生成が描画データ生成手段１７ａによって完了したと判断するまで、描画データの全てのバンドの生成が完了したか否かを判断する（Ｓ１０４）。
【００４８】
媒体供給手段１７ｂは、描画データの全てのバンドの生成が完了したとＳ１０４において判断すると、２次供給を実行する（Ｓ１０５）。
【００４９】
次いで、課金手段１７ｃは、媒体排出部２２に記録媒体９０が排出されたことが排出センサー２６によって検出されたと判断するまで、媒体排出部２２に記録媒体９０が排出されたことが検出されたか否かを判断する（Ｓ１０６）。
【００５０】
課金手段１７ｃは、媒体排出部２２に記録媒体９０が排出されたことが排出センサー２６によって検出されたとＳ１０６において判断すると、描画データ生成手段１７ａによって確定された使用色に応じた課金処理を実行して（Ｓ１０７）、図７に示す動作を終了する。
【００５１】
媒体供給手段１７ｂは、課金の時期が供給開始時期であるとＳ１０２において判断すると、描画データの特定の数のバンドのバンド使用色に、描画データ生成手段１７ａによってカラーとして確定されたバンド使用色が存在するか否かを判断する（Ｓ１０８）。
【００５２】
媒体供給手段１７ｂは、カラーとして確定されたバンド使用色が存在するとＳ１０８において判断すると、１次供給を実行する（Ｓ１０９）。
【００５３】
次いで、課金手段１７ｃは、描画データ生成手段１７ａによって確定された使用色がカラーである場合の課金処理を実行する（Ｓ１１０）。
【００５４】
次いで、媒体供給手段１７ｂは、描画データの全てのバンドの生成が描画データ生成手段１７ａによって完了したと判断するまで、描画データの全てのバンドの生成が完了したか否かを判断する（Ｓ１１１）。
【００５５】
媒体供給手段１７ｂは、描画データの全てのバンドの生成が完了したとＳ１１１において判断すると、２次供給を実行する（Ｓ１１２）。
【００５６】
次いで、媒体供給手段１７ｂは、媒体排出部２２に記録媒体９０が排出されたことが排出センサー２６によって検出されたと判断するまで、媒体排出部２２に記録媒体９０が排出されたことが検出されたか否かを判断する（Ｓ１１３）。
【００５７】
媒体供給手段１７ｂは、媒体排出部２２に記録媒体９０が排出されたことが検出されたとＳ１１３において判断すると、図７に示す動作を終了する。
【００５８】
媒体供給手段１７ｂは、カラーとして確定されたバンド使用色が存在しないとＳ１０８において判断すると、描画データの全てのバンドの生成が描画データ生成手段１７ａによって完了したと判断するまで、描画データの全てのバンドの生成が完了したか否かを判断する（Ｓ１１４）。
【００５９】
媒体供給手段１７ｂは、描画データの全てのバンドの生成が完了したとＳ１１４において判断すると、１次供給を実行する（Ｓ１１５）。
【００６０】
次いで、課金手段１７ｃは、描画データ生成手段１７ａによって確定された使用色に応じた課金処理を実行する（Ｓ１１６）。
【００６１】
次いで、媒体供給手段１７ｂは、Ｓ１１２の処理を実行する。
【００６２】
以上に説明したように、ＭＦＰ１０は、バンド使用色にカラーが存在する場合に（Ｓ１０８でＹＥＳ）、描画データの全てのバンドの生成の完了以前に１次供給を開始する（Ｓ１０９）とともに、使用色がカラーである場合の課金処理を１次供給の開始の際に実行する（Ｓ１１０）ので、描画データの全てのバンドの生成の完了後（Ｓ１１４でＹＥＳ）に確定した使用色に応じた課金処理を１次供給の開始の際に実行する（Ｓ１１６）構成と比較して、印刷速度を向上することができる。
【００６３】
ＭＦＰ１０は、カラーとして確定されたバンド使用色が描画データの全てのバンドより少ない特定の数のバンドの生成の完了後に存在する場合に、描画データの全てのバンドの生成の完了以前に１次供給を開始して、使用色がカラーである場合の課金処理を１次供給の開始の際に実行するので、１次供給の開始と、課金処理の実行とに対する判断をバンド使用色が確定する度に実行する必要がない。したがって、ＭＦＰ１０は、カラーとして確定されたバンド使用色が存在するまで１次供給の開始のためにバンド使用色をバンド毎に媒体供給手段１７ｂによって判断する構成と比較して、処理負荷を軽減することができる。
【００６４】
なお、ＭＦＰ１０は、課金の時期が供給開始時期である場合に、カラーとして確定されたバンド使用色が存在するまで１次供給の開始のためにバンド使用色をバンド毎に媒体供給手段１７ｂによって判断する構成であっても良い。
【００６５】
本発明の画像形成装置は、本実施の形態においてＭＦＰであるが、印刷を実行する画像形成装置であれば、プリンター専用機、コピー専用機など、ＭＦＰ以外の画像形成装置であっても良い。
【符号の説明】
【００６６】
１０  ＭＦＰ（画像形成装置）
１６ａ  画像形成プログラム
１７ａ  描画データ生成手段
１７ｂ  媒体供給手段
１７ｃ  課金手段
２４  印刷部
７１  バンド
９０  記録媒体
【図１】
0006299685.tif 000002
【図２】
0006299685.tif 000003
【図３】
0006299685.tif 000004
【図４】
0006299685.tif 000005
【図５】
0006299685.tif 000006
【図６】
0006299685.tif 000007
【図７】
0006299685.tif 000008